(57)【要約】【課題】  ＬＥＤ表示装置において、構成を簡略化しコストも低減する。【解決手段】  表示しようとする情報の内容を表現する第１の表示データを、第１の表示データ格納部２０に格納し、背景部分を表現する第２の表示データを、第２の表示データ格納部２２に格納する。合成処理部３５は、表示部１８に第１の表示データを優先的に表示し、第１の表示データで表示される以外の部分を第２の表示データにより表示する。又は、合成処理部３５は、第１の表示データと第２の表示データを合計することにより得られたデータを表示部１８に表示する。【選択図】  図１
2006317786.tif 000002
【特許請求の範囲】
【請求項１】
各々複数の発光色を発光可能な複数の画素を備えた表示部と、
第１の表示データを格納する第１の表示データ格納部と、
第２の表示データを格納する第２の表示データ格納部と、
前記第１の表示データ及び前記第２の表示データを前記表示部に表示させる際、前記第１の表示データを優先的に表示し、前記第１の表示データで表示される以外の部分を前記第２の表示データにより表示する処理を行なう合成処理部と、
前記合成処理部の処理に従って、前記表示部の前記画素を駆動する駆動部と、を備えるＬＥＤ表示装置。
【請求項２】
各々複数の発光色を発光可能な複数の画素を備えた表示部と、
第１の表示データを格納する第１の表示データ格納部と、
第２の表示データを格納する第２の表示データ格納部と、
前記第１の表示データ及び前記第２の表示データを前記表示部に表示させる際、前記第１の表示データと前記第２の表示データを合計することにより得られたデータを前記表示部に表示する最終表示データとする合成処理部と、
前記合成処理部の処理に従って、前記表示部の前記画素を駆動する駆動部と、を備えるＬＥＤ表示装置。
【請求項３】
請求項１または２記載のＬＥＤ表示装置であって、
前記第１の表示データと前記第２の表示データの表示の優先順位を格納するフラグを前記合成処理部に更に備える、ＬＥＤ表示装置。
【発明の詳細な説明】
【技術分野】
【０００１】
本発明は、複数のＬＥＤ発光素子を備え、文字や図形等を表示するＬＥＤ表示装置に関する。
【背景技術】
【０００２】
従来から、商店街などの店先に複数のＬＥＤ発光素子の点灯制御を用いて、店の宣伝広告等を表示するＬＥＤ表示装置がある。
【０００３】
また、近年では、Ｒ（赤）・Ｇ（緑）・Ｂ（青）の３原色のＬＥＤ発光素子を１画素とし、個々の画素の各ＬＥＤ発光素子の点灯制御を行うことで、多様な色を表現でき、単色のＬＥＤ表示装置よりも映像表示等において豊かな表現をすることが可能となっている。
【０００４】
また、このようなＬＥＤ表示装置は、最近では、単に表示データに該当する画素を発光させるだけでなく、その背景となる画素を発光させたり、あるいは、表示データ同士を組み合わせたりして、観察者の注意を引くような表示パターンができるＬＥＤ表示装置も提供されてきている。
【０００５】
図６は、このようなＬＥＤ表示装置の内部構成を示す内部ブロック図である。
【０００６】
図６に示されるように、ＬＥＤ表示装置１は、記憶部２と、制御部５と、文字や図形を表示する情報表示部７と、背景表示部８と、情報表示部の個々のＬＥＤ発光素子を駆動する情報表示駆動部７ａと、背景表示部８の個々のＬＥＤ発光素子を駆動する背景表示駆動部８ａとを備える。ＬＥＤ表示装置１は観察者に対し、文字や図形の表示に背景模様をオーバーラップさせて面全体で装飾発光ができるため、注目度を向上させることができるというものである。
【特許文献１】特開２００１−１７５２０１号公報
【発明の開示】
【発明が解決しようとする課題】
【０００７】
しかしながら、上記ＬＥＤ表示装置では、文字や図形を表示する情報表示部を構成するＬＥＤ発光素子とは別に、背景表示部を構成するＬＥＤ発光素子が必要とされるが、駆動部を構成する回路についても、情報表示用と背景表示用にそれぞれ別な回路が必要となるなど、制御が複雑化、高度化し、コストも増加する等の問題がある。
【０００８】
本発明は、背景表示部に別途新たな画素駆動回路を配設することなく、背景表示させることができるＬＥＤ表示装置を提供する。
【課題を解決するための手段】
【０００９】
本発明のＬＥＤ表示装置は、各々複数の発光色を発光可能な複数の画素を備えた表示部と、第１の表示データを格納する第１の表示データ格納部と、第２の表示データを格納する第２の表示データ格納部と、前記第１の表示データ及び前記第２の表示データを前記表示部に表示させる際、前記第１の表示データを優先的に表示し、前記第１の表示データで表示される以外の部分を前記第２の表示データにより表示する処理を行なう合成処理部と、前記合成処理部の処理に従って、前記表示部の前記画素を駆動する駆動部と、を備える。
【００１０】
係る構成によれば、背景表示部用に別途画素を駆動する回路を配設することなく、より簡易な構成、低コストでＬＥＤ表示装置を提供することができる。
【００１１】
本発明の他のＬＥＤ表示装置は、各々複数の発光色を発光可能な複数の画素を備えた表示部と、第１の表示データを格納する第１の表示データ格納部と、第２の表示データを格納する第２の表示データ格納部と、前記第１の表示データ及び前記第２の表示データを前記表示部に表示させる際、前記第１の表示データと前記第２の表示データを合計することにより得られたデータを前記表示部に表示する最終表示データとする合成処理部と、前記合成処理部の処理に従って、前記表示部の前記画素を駆動する駆動部と、を備える。
【００１２】
係る構成においても、背景表示部用に別途画素を駆動する回路を配設することなく、より簡易な構成、低コストでＬＥＤ表示装置を提供することができる。
【００１３】
また、前記第１の表示データと前記第２の表示データの表示の優先順位を格納するフラグを前記合成処理部に更に備えている。
【００１４】
係る構成によれば、優先順位のフラグの設定値により、第１の表示データと第２の表示データによる多彩な表示パターンを容易に表示させることができる。
【発明の効果】
【００１５】
以上のように、本発明のＬＥＤ表示装置によれば、構成を簡略化し、コストも低減することが可能となる。
【発明を実施するための最良の形態】
【００１６】
以下、本発明の実施形態について、図面を参照しながら詳細に説明する。
【００１７】
（第１の実施形態）
図１は、本発明の第１の実施形態に係るＬＥＤ表示装置１０の内部ブロック図を示す。
【００１８】
図１に示されるように、本発明のＬＥＤ表示装置１０は、複数の発光色からなるＬＥＤ発光素子を１画素とした表示部１８と、表示部１８の個々のＬＥＤ発光素子を駆動する駆動部１６と、プログラムに基づき個々のＬＥＤ発光素子の点滅制御を行なう制御部１２と、制御部１２が動作するためのプログラム及び表示部１８に表示させる表示データなどを格納する記憶部１１と、合成処理部１５とを備えている。
【００１９】
表示部１８は、一般的に、画素となるＬＥＤ発光素子が行方向および列方向にそれぞれ複数個ずつ配列された表示パネルの組み合わせにより構成されている。例えば、一枚の表示パネル上に１６列×１６行等にわたって画素が配列されている。一般的には、表示パネル１枚が１文字の表示に対応している。通常、表示装置においては、この表示パネルを縦横、または横若しくは縦のみに複数枚並べ、文字をスクロールさせて情報を表示する。ただし、表示パネルの大きさ（画素数）、表示パネルの使用枚数、表示パネルの並べ方等は特に限定されない。
【００２０】
個々の画素はＬＥＤ発光素子により構成されているが、本実施の形態においては、各画素は、赤（Ｒ）ＬＥＤ発光素子、緑（Ｇ）ＬＥＤ発光素子、青（Ｂ）ＬＥＤ発光素子の３つの素子から構成されている。ＲＧＢという３原色により、各画素はいわゆるフルカラーの発光を行なうことが可能となっている。一般的には、素子チップが所定の樹脂により一体的に封止されることにより、画素が形成される。しかしながら、本発明は、フルカラー発光のＬＥＤ表示装置のみに適用されるものではなく、ＲＧＢのうちいずれか２色の発光画素のみを有する表示装置にも適用され得る。
【００２１】
駆動部１６は、制御部１２からの表示データ及び制御信号に基づき、表示部１８の個々のＬＥＤ発光素子の点滅制御を行なう。一般的に駆動部１６は、ダイナミックスキャン回路と表示時ドライブ制御回路とを含む。ダイナミックスキャン回路は、主走査線を介して表示部１８（表示パネル）の列方向（主操作方向）に配列された複数個のＬＥＤ発光素子に行毎に順次設定された電圧を印加する走査動作を数十〜数百ＨＺの周波数で繰り返し行う（ダイナミックスキャン方式）。このような走査動作を繰り返し行うと、残像現象によって人間の目には所定の文字や絵が画像として表示されるように見える。
【００２２】
表示ドライブ制御回路は、制御部１２、合成処理部１５から供給された表示データおよび制御信号に基づいて、行方向（副走査方向）に配列されるＬＥＤ発光素子の何れかに電圧を印加するかを定め、走査周波数に同期して副走査線を介して順次選択的に電圧を印加する。ダイナミックスキャン回路によって印加されているＬＥＤ発光素子に、表示ドライブ制御回路から表示データが供給されることによって、そのＬＥＤ発光素子が点灯することになる。ただし、駆動部１６の構成、種類は特に限定はされない。
【００２３】
制御部１２は、後述する合成処理部１５及び駆動部１６を介して表示部１８の個々のＬＥＤ発光素子の点滅制御を行なう。制御部１２は、一般的な演算処理装置によって構成され、実行される各種プログラムを記憶するメモリ、プログラム実行時のワークエリアとなるメモリ、ＬＥＤ表示装置の各種設定データを記憶するメモリ等の各種メモリ（図示せず）を含んでいる。これらのメモリは、その用途に応じて、アクセス速度、記憶容量、揮発性と不揮発性の別等の異なる複数種類のメモリが用いられる。制御部１２は、記憶部１１から、表示部１８に示されるべき文字、その他の画像を表示するための表示データを受領する。
【００２４】
記憶部１１は、第１の表示データ格納部２０と、第２の表示データ格納部２２とを含む。記憶部１１は、一般的には制御部１２から直接アクセス可能なＲＡＭ（Random Access Memory）等により構成されているが、種々の半導体メモリより構成することができ、その種類は限定されない。
【００２５】
ここで、記憶部１１に格納される表示データには、文字や図形等の如き、観察者に対して表示しようとする情報の内容を表現する第１の表示データと、それ以外の背景部分を表示する第２の表示データがある。例えば、第１の表示データは、図２（ａ）に示すような構成を有しており、第１の表示データ格納部２０に格納される。また、第２の表示データは、図２（ｂ）に示すような構成を有しており、第２の表示データ格納部２２に格納される。ここでは、１２×１２画素の表示パネルの例を示している。
【００２６】
図２（ａ）に示すように、本例において、第１の表示データは、表示部１８の表示パネル上の個々の画素に対応した色データを含む。例えば、画素２０ａは表示対象物としての文字表示に使用されないため、発光色が設定されていない旨の「０」のデータが設定されている。すなわち、画素２０ａは第１の表示データで表示される部分ではない。一方、例えば画素２０ｂは文字表示に使用されるため、発光色が設定されている旨の「１」のデータが設定されている。すなわち、画素２０ａは第２の表示データで表示される部分である。本例では、色データ「１」は、「赤」の発光色に対応する。この場合、１画素において赤色のＬＥＤのみが発光する。
【００２７】
図２（ｂ）に示すように、本例において、第２の表示データは、第１の表示データと同様、表示部１８の表示パネル上の個々の画素に対応した色データを含む。本例では、画素２２ａを含む総ての画素に、色データ「２」のデータが設定されている。本例では、色データ「２」は、「緑」の発光色に対応する。この場合、１画素において緑色のＬＥＤのみが発光する。
【００２８】
制御部１２は、所定のタイミングにて、第１の表示データと第２の表示データを合成処理部１５に送出する。合成処理部１５では、受信された第１の表示データと第２の表示データを重ね合わせる処理を行なう。
【００２９】
合成処理部１５で作成される最終的な合成後の表示データを図２（ｃ）に示す。合成処理部１５では、図２（ａ）の第１の表示データにおける「０」に設定された部分を、第２の表示データ格納部２２の発光色に塗りつぶす処理を行なう。
【００３０】
即ち、合成処理部１５では、第１の表示データと第２の表示データの個々の画素の色を比較し、第１の表示データに色データが設定されていない画素のみ、すなわち色データが「０」に対応する画素のみ、第２の表示データに設定された色を設定する処理を行なう。
【００３１】
このような処理により、図３に示されるような文字表示が作成される。図２の色データの設定例によれば、背景は緑色で表示され（画素１８ａ）、表示対象物である文字「Ａ」が赤色で表示されている（画素１８ｂ）。
【００３２】
（第２の実施形態）
第１の実施形態では、第１の表示データにおいて、何らかの発光色に対応する色データが与えられている画素については、第１の表示データの発光を優先させている。すなわち、表示対象物の部分については、第１の表示データの色のみを発光させることにしている。一方、本実施形態では、表示対象物も背景部分も含めた総ての画素について、第１の表示データと第２の表示データの双方を考慮することにしている。
【００３３】
図４は、本実施の形態下において、図２（ａ）の第１の表示データと図２（ｂ）の第２の表示データを合成した例を示す。すなわち、本実施形態では、文字「Ａ」の部分は、第１の表示データにおける赤色に対応する「１」の色データと、第２の表示データにおける「緑色」に対応する「２」の色データを加算して得られる「３」の色データに設定される。
【００３４】
加法混色のもと、赤色発光と緑色発光が混合されることにより黄色発光が発現するが、本実施形態では、色データの加算、すなわち合計である最終表示データと、色の混合結果が対応させられている。すなわち「３」の色データに対応する発光色は黄色である。
【００３５】
また、背景部分における最終表示データは、第１の表示データにおける「０」の色データと、第２の表示データにおける「緑色」に対応する「２」の色データを加算して得られる「２」の色データ、すなわち緑色に設定される。従って、この実施形態下では、表示対象物である文字「Ａ」が黄色で表示され、背景が緑色で表示される。
【００３６】
このように、第１の表示データと第２の表示データの合成処理方法を、第１の実施形態とは異ならせることにより、異なる発光パターンを得ることができる。
【００３７】
（第３の実施形態）
図５は、本発明の第３の実施形態に係るＬＥＤ表示装置３０のブロック図を示す。図５に示すように、合成処理部３５には優先フラグ３２が備え付けられている。
【００３８】
優先フラグ３２は、第１の表示データと第２の表示データのどちらが優先されるかを示すフラグである。図５（ｂ）に示されるように、このようなフラグは２ビットのデータで示すことができる。優先順位表示データ３２ａは、第１の表示データの優先順位を示し、優先順位表示データ３２ｂは、第２の表示データの優先順位を示す。
【００３９】
優先順位表示データ３２ａ，３２ｂに格納された数値は、「１」の場合、優先順位が高いことを示し、逆に「０」の場合は低いことを示す。
【００４０】
ここで、図５（ｂ）のように、優先順位表示データ３２ａ，３２ｂの２つのビットとも「１」が立っている場合は、第２の実施形態で説明したように、第１の表示データと第２の表示データを加算することを示す。
【００４１】
このように、合成処理部３５に優先フラグ３２を設け、優先フラグ３２の優先順位決定パターンを変化させることにより、様々な表示パターンを作成することが可能となる。
【００４２】
以上述べたように、本発明のＬＥＤ表示装置においては、背景表示を行なうために、情報表示とは別に背景表示用の特別な制御回路を設ける必要はない。単に背景表示用の画素に一色ないし数色の単純な発光のみを行わせ、これに情報表示画素の発光を重ね合わせる単純な処理のみにより最終的な表示を達成することができる。従って、本発明のＬＥＤ表示装置においては、構成を簡略化し、コストも低減することができる。
【００４３】
また、情報表示と背景表示の合成における重ね合わせ処理のパターンを変化させることにより、最終表示を変化させることができ、表示に種々のバリエーションを設けることができる。
【００４４】
上述した本発明のＬＥＤ表示装置の実施形態について、第１の表示データと、第２の表示データの２種類の表示データを用いた例を挙げて説明したが、これに限られるものではなく、３種類以上の表示データ（例えば、文字データ、図形データ、背景データ）を使用することもできる。表示データの種類数に応じて、第３の実施形態の優先フラグ３２における優先順位表示データの数を設定すればよい。
【００４５】
また、各画素の色データを細分化することで、輝度を調整することも可能であり、例えば、背景となる部分を暗くすることもできることは言うまでもない。
【００４６】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００４７】
本発明のＬＥＤ表示装置は、構成を簡略化し、コストも低減することが可能となる。
【図面の簡単な説明】
【００４８】
【図１】ＬＥＤ表示装置のブロック図
【図２】１２×１２画素の表示パネルにおいて、合成処理部における処理を示す図
【図３】文字表示の例
【図４】１２×１２画素の表示パネルにおいて、合成処理部における他の処理方法を用いて処理された表示データを示す図
【図５】ＬＥＤ表示装置の他の例のブロック図
【図６】従来のＬＥＤ表示装置のブロック図
【符号の説明】
【００４９】
１０    ＬＥＤ表示装置
１１    記憶部
１２    制御部
１６    駆動部
１８    表示部
２０    第１の表示データ格納部
２２    第２の表示データ格納部
３０    ＬＥＤ表示装置
３１    記憶部
３２    優先フラグ
【図１】
2006317786.tif 000003
【図２】
2006317786.tif 000004
【図３】
2006317786.tif 000005
【図４】
2006317786.tif 000006
【図５】
2006317786.tif 000007
【図６】
2006317786.tif 000008